(57)【要約】【課題】一定の強度や耐久性を保持しつつ、低コストで取扱いの容易な薄物表示体支持用スタンドを提供すること。【解決手段】可撓性平板により形成される薄物表示体挟持部材と、ストロー状部材と、少なくとも一端側が先細り形状に形成される開放口閉塞部材とを備え、前記薄物表示体挟持部材は、薄物表示体を挟んで保持するための切込線が設けられた挟持部と、先細り形状に形成される挿入部とを備え、前記挿入部を前記ストロー状部材の一端の開放口に挿入して前記ストロー状部材を変形密着させて結合し、前記開放口閉塞部材の先細り形状に形成される前記一端側を前記ストロー状部材の他端の前記開放口に挿入して前記ストロー状部材を変形密着させて結合した薄物表示体支持用スタンド。【選択図】図１
2019219503.tif 000002
【特許請求の範囲】
【請求項１】
可撓性平板により形成される薄物表示体挟持部材と、ストロー状部材と、少なくとも一端側が先細り形状に形成される開放口閉塞部材とを備え、
前記薄物表示体挟持部材は、
薄物表示体を挟んで保持するための切込線が設けられた挟持部と、
先細り形状に形成される挿入部とを備え、
前記挿入部を前記ストロー状部材の一端の開放口に挿入して前記ストロー状部材を変形密着させて結合し、
前記開放口閉塞部材の先細り形状に形成される前記一端側を前記ストロー状部材の他端の前記開放口に挿入して前記ストロー状部材を変形密着させて結合した
薄物表示体支持用スタンド。
【請求項２】
両端が先細り形状に形成される追加の前記開放口閉塞部材は、
２つの前記ストロー状部材の間に配置されて前記２つの前記ストロー状部材を連結する
請求項１記載の薄物表示体支持用スタンド。
【請求項３】
前記薄物表示体挟持部材は、所定の箇所で折り曲げられた状態で、前記挟持部により前記薄物表示体を挟んで保持する
請求項１又は２記載の薄物表示体支持用スタンド。
【請求項４】
前記開放口閉塞部材の代わりに追加の前記薄物表示体挟持部材を備え、
前記追加の前記薄物表示体挟持部材の前記挿入部を前記ストロー状部材の前記他端の前記開放口に挿入して前記ストロー状部材を変形密着させて結合した
請求項１乃至３のいずれか１項に記載の薄物表示体支持用スタンド。
【発明の詳細な説明】
【技術分野】
【０００１】
本発明は、花卉の名称などを記載した紙媒体などを挟持して支持する薄物表示体支持用スタンドに関する。
【背景技術】
【０００２】
従来、鉢物等の対象となる花卉の名称などを説明するためのカード状説明札が知られている。
当該カード状説明札を支持する支持部が、紙、プラスチック等の棒状や板状の部材を用いて実現されていた。
【０００３】
紙、プラスチック等の棒状や板状の部材であってもコストが発生し、一定の強度や耐久性を保持しつつ、できる限り安価に実現することが求められていた。
【０００４】
関連技術として、鉢物用花卉説明札は、鉢物の対象となる花卉の花の外形を象るように近似させて形成されたカード状説明札と、カード状説明札を支持する支持部とが、紙、プラスチック等の板状部材の打ち抜き、切り抜き等によって一体的に形成され、このカード状説明札の表面及び／又は裏面には、象られた花の形状に合わせて花の各部が、絵・写真等を印刷・転写したり、手で描いたりすることにより描写され、また、支持部の先端部は先端へいくほど幅狭に形成され、鉢物の土中に指し込まれる差込み部が形成され、視覚的なイメージに訴えることにより、鉢物の対象となる花卉を直感的に把握できる鉢物用花卉説明札を提供する技術が提案されている（特許文献１参照）。
【先行技術文献】
【特許文献】
【０００５】
【特許文献１】特開２００３−７０３６３号公報
【発明の概要】
【発明が解決しようとする課題】
【０００６】
しかしながら、特許文献１に記載の技術では、鉢物の対象となる花卉の花の外形を象るように近似させて形成されたカード状説明札と、カード状説明札を支持する支持部とが、紙、プラスチック等の板状部材の打ち抜き、切り抜き等によって一体的に形成されるため、コストの低減には限界があった。
【０００７】
また、市販されて広く流通している、プラスチック等で成形されている、いわゆる飲料用のストローを利用すると、コスト削減の効果がもたらされると想定されるが、鉢物の土中に挿し込まれるストローの下端は空気が通るように当然に開放されており、塞がっていないため、容易に、水や土がストローの内部空間に侵入してしまい、見た目が良くなく、取り扱いの際に汚れたりしてしまうという問題点があった。
【０００８】
本発明の目的は、一定の強度や耐久性を保持しつつ、低コストで取扱いの容易な薄物表示体支持用スタンドを提供することにある。
【課題を解決するための手段】
【０００９】
本発明の薄物表示体支持用スタンドは、
可撓性平板により形成される薄物表示体挟持部材と、ストロー状部材と、少なくとも一端側が先細り形状に形成される開放口閉塞部材とを備え、
前記薄物表示体挟持部材は、
薄物表示体を挟んで保持するための切込線が設けられた挟持部と、
先細り形状に形成される挿入部とを備え、
前記挿入部を前記ストロー状部材の一端の開放口に挿入して前記ストロー状部材を変形密着させて結合し、
前記開放口閉塞部材の先細り形状に形成される前記一端側を前記ストロー状部材の他端の前記開放口に挿入して前記ストロー状部材を変形密着させて結合した。
【００１０】
また、本発明の薄物表示体支持用スタンドは、
両端が先細り形状に形成される追加の前記開放口閉塞部材は、
２つの前記ストロー状部材の間に配置されて前記２つの前記ストロー状部材を連結することであってもよい。
【００１１】
また、本発明の薄物表示体支持用スタンドは、
前記薄物表示体挟持部材は、所定の箇所で折り曲げられた状態で、前記挟持部により前記薄物表示体を挟んで保持することであってもよい。
【００１２】
また、本発明の薄物表示体支持用スタンドは、
前記開放口閉塞部材の代わりに追加の前記薄物表示体挟持部材を備え、
前記追加の前記薄物表示体挟持部材の前記挿入部を前記ストロー状部材の前記他端の前記開放口に挿入して前記ストロー状部材を変形密着させて結合したことであってもよい。
【発明の効果】
【００１３】
本発明によれば、一定の強度や耐久性を保持しつつ、低コストで取扱いの容易な薄物表示体支持用スタンドを提供することができる。
【図面の簡単な説明】
【００１４】
【図１】本発明の実施の形態に係る薄物表示体支持用スタンドの構成を示す図である。
【図２】本発明の実施の形態に係る薄物表示体支持用スタンドの他の構成を示す図である。
【図３】本発明の実施の形態に係る薄物表示体支持用スタンドの他の構成を示す図である。
【図４】本発明の実施の形態に係る薄物表示体支持用スタンドの使用態様を示す図である。
【図５】本発明の実施の形態に係る薄物表示体支持用スタンドの他の使用態様を示す図である。
【図６】本発明の実施の形態に係る薄物表示体支持用スタンドの他の使用態様を示す図である。
【発明を実施するための形態】
【００１５】
以下、本発明の実施の形態を図面を参照しつつ説明する。
図１を参照すると、本実施形態の薄物表示体支持用スタンド１は、基本的には概略、薄物表示体挟持部材１０と、ストロー状部材２０と、開放口閉塞部材３０とから構成されている。但し、後述する変形例のように各部材が複数用いられたり、用いられない部材があってもよい。
【００１６】
薄物表示体挟持部材１０は、厚み寸法が０．８ｍｍ〜１ｍｍ程度の、透明の樹脂であるＰＥＴ（ポリエチレンテレフタラート）からなり（例えば、横幅寸法２５ｍｍ、高さ寸法７５ｍｍであり、大中小などのサイズ違いがあってもよい。）、挟持部１１および挿入部１２を有している。なお、ＰＥＴは、リサイクル容易で、コスト低廉、軽量との利点を有し、材料自体が地球環境に優しく、しかも美麗で高級感を醸し出すことができる。
【００１７】
ここで、薄物表示体４０とは、例えば、花の名称などを記載した紙媒体などである。素材や大きさ形状等は特に限定されない。
【００１８】
薄物表示体挟持部材１０は、薄物表示体４０を挟んで保持する部材であり、ＰＥＴの可撓性から任意の箇所で繰り返して折り曲げと折り返しが可能であるという特性を有している。すなわち全体を折り曲げ・復元可能な樹脂に折曲線を設定することなく（設定してもよいが）接着剤などの固定手段を使わずに、その形態を折り曲げることができる。そのため、平板状のものを所定部分で折り曲げなどの作業により簡単に組み立てられるから輸送、集積コストの低減や使用後の分解により簡単に平板状に復することができて良好な使い勝手を実現できる。
【００１９】
薄物表示体挟持部材１０の挟持部１１は、高さ寸法が約４２ｍｍであり、所定の半円弧状の切込線（スリット）とその終端部にそれぞれ形成された孔部とからなる。スリットに挿し込まれた薄物表示体４０を挟んで保持し、また、２箇所の孔部（径４ｍｍ程度）とＰＥＴの厚み寸法により実現される留め構造により抜けないようにしっかり挟持する。
従来の段違いのフォーク型の挟持部材に薄物表示体４０を挟むことでは抜けやすく、段違いのフォーク型を実現するために溶着工程が必要という欠点があったが、粘着テープ等で薄物表示体４０を貼るよりも強固にしっかりと保持することができる。すなわち、図５に示すように、下方に折り曲げて逆さまになっても薄物表示体４０が落下しないように保持される。
なお、挟持部１１には空白部分に宣伝広告用等の文字（名入れ）・図形等が印刷されていてもよいし、ステッカーシール等が貼られてもよい。これにより、商品としての花などの訴求性を高めることができる。
【００２０】
薄物表示体挟持部材１０の挿入部１２は、高さ寸法が約３３ｍｍであり、最大横幅寸法はストロー状部材２０の径よりもやや大きく形成され、ストロー状部材２０の上端の開放口に挿入されることで、その押圧力によりストロー状部材２０を変形させるため挿入部１２と隙間なく密着して、接着剤を用いることなく容易に外れない状態で結合することとなる。なお、接着剤は用いることであってもよい。メーカー等によってストロー状部材２０の開口の径が異なるので、先細り形状として、ストロー状部材２０の開口の径が多少異なっていても対応可能となっている。
【００２１】
ストロー状部材２０は、市販されて広く流通している、プラスチックや紙等で成形されている、いわゆる飲料用のストローを利用することであっても、中空の専用品を成形することであってもよい。材質は特に限定されない。
透明のストローが好ましいが着色されていてもよい。
例えば、長さ寸法は、ベストモードは３０ｃｍ程度であるが、用途によっては１００ｃｍなどの長いストローが適していることもある。また、各ストローが短くても、後述するように連結（ジョイント）させることで長いストローを実現して対応することもできる。
ストロー状部材２０は、市販されて広く流通しているものであれば安価に調達可能であり、また、郵送等の際に一次的に折り曲げても復元力があり嵩張らなくて済むという利点があり、また、ハサミ等でカットして長さ寸法を容易に調整可能であり、さらに、長くても撓まない（ＰＥＴだと細くて長い形状とすると撓む場合がある。）という特徴を有している。
なお、ストロー状部材２０は、図２に示すように、途中に折り曲げ部が形成されていてもよい。この折り曲げ部は、蛇腹状とするなどの周知の技術により実現可能である。
【００２２】
開放口閉塞部材３０は、厚み寸法が０．８ｍｍ〜１ｍｍ程度の、透明の樹脂であるＰＥＴ（ポリエチレンテレフタラート）やその他の素材からなり、一例として略楕円形（横幅寸法９ｍｍ、高さ寸法４０ｍｍ）に形成され、最大横幅寸法はストロー状部材２０の径よりもやや大きく形成され、接着剤を用いなくても、ストロー状部材２０が可撓性を有するという素材特性により、ストロー状部材２０の下端の開放口に挿入されることで、その押圧力によりストロー状部材２０を変形させるため開放口閉塞部材３０の上部と隙間なく密着して、接着剤を用いることなく容易に外れない状態で結合することとなる。なお、接着剤は用いてもよい。
開放口閉塞部材３０は、メーカー等によってストロー状部材２０の開口の径が異なるので、先細り形状で、多少径が異なっていても対応可能としている。
ストロー状部材２０の下端から飛び出たままの状態の開放口閉塞部材３０の下部もまた先細り形状であり、この形状により、鉢物などの土中などに容易に挿し込むことが可能となっている。なお、開放口閉塞部材３０の下部は必ずしも先細り形状でなくともよい。
ストロー状部材２０の下端は、開放口閉塞部材３０の上部と密着して閉塞しているため、水や土がストロー２０の内部空間に侵入してしまい、見た目が悪くなったり、取り扱いの際に汚れたりしてしまうことが回避される。
【００２３】
また、開放口閉塞部材３０は、図３に示すように、複数のストロー状部材２０を連結するためのジョイント部材として活用することもできる。すなわち、一のストロー状部材２０の下端の開放口に開放口閉塞部材３０の上部を挿入し、他のストロー状部材２０の上端の開放口に開放口閉塞部材３０の下部を挿入することで、それぞれのストロー状部材２０が変形して隙間なく密着して容易に外れない状態で結合することとなる。このように複数のストロー状部材２０を連結することで、ロングスティックとして使用することが可能となる。
【００２４】
次に、本発明の実施形態における薄物表示体支持用スタンド１の使用態様を説明する。
【００２５】
図４を参照すると、薄物表示体支持用スタンド１は、薄物表示体挟持部材１０の挟持部１１に薄物表示体４０を挟んで保持している。そして、ストロー状部材２０の下端から飛び出たままの状態の開放口閉塞部材３０の下部とそれに連なるストロー状部材２０の一部が、鉢物の土中に挿し込まれて、略直立状態を維持している。
また、図４を参照すると、薄物表示体挟持部材１０は、ストロー状部材２０等を無しで単独で薄物表示体支持用スタンドとして、直に鉢物の土中に挿し込まれることであってもよい。
なお、他図を含めて鉢物は例示であり、コップやその他の容器や入れ物等を広く対象とし、土や水の有無は必ずしも問わない。
【００２６】
図５を参照すると、薄物表示体支持用スタンド１は、薄物表示体挟持部材１０の所定の箇所（薄物表示体４０を挟んで保持することが困難な箇所以外であれば任意である。）で、下方に折り曲げられた状態で、逆さまになっても落下しないように薄物表示体４０を挟んで保持している。その際、例えば、薄物表示体挟持部材１０の下部とそれに覆いかぶさっているストロー状部材２０の一部が共に、下方に折り曲げられることであってもよい。なお、ＰＥＴの撓み・曲げ特性により所定以下の負荷が加えられた場合であっても折り曲げ角度が容易に変化しないように折り曲げ形状が保持される。さらに、薄物表示体挟持部材１０が単独で薄物表示体支持用スタンドとなる場合（図４参照）は、鉢物の縁に引っ掛けるようにして使用することもできる。
【００２７】
図６を参照すると、薄物表示体支持用スタンド１は、一の薄物表示体挟持部材１０をストロー状部材２０の上端の開放口に挿入するのみならず、他の薄物表示体挟持部材１０を開放口閉塞部材３０に代えてストロー状部材２０の下端の開放口に挿入する使用態様であってもよい。このようにすると、他の薄物表示体挟持部材１０（ストロー状部材２０の下端側）の所定の箇所で、略９０度の角度に折り曲げられ、その折り曲げて形成された面の上に、鉢物などを重しとして載せることで薄物表示体支持用スタンド１の起立状態を保持することが可能となる。直に鉢物の土中に挿し込むことがないので、土中の植物等への影響がなく、土による汚れが極めて低減されるという効果がある。
【００２８】
その他、一々例示はしないが、本考案は、その趣旨を逸脱しない範囲内において、各構成部分の大きさや形状を含む種々の変更が加えられて実施されてよい。例えば、薄物表示体挟持部材１０と、開放口閉塞部材３０との全体を透明の樹脂材であるＰＥＴにより形成しているが、少なくとも一部分を着色や不透明の材料で形成することであってもよい。
【符号の説明】
【００２９】
１        薄物表示体支持用スタンド
１０      薄物表示体挟持部材
１１    挟持部
１２    挿入部
２０      ストロー状部材
３０      開放口閉塞部材
４０      薄物表示体
【図１】
2019219503.tif 000003
【図２】
2019219503.tif 000004
【図３】
2019219503.tif 000005
【図４】
2019219503.tif 000006
【図５】
2019219503.tif 000007
【図６】
2019219503.tif 000008
【手続補正書】
【提出日】平成30年7月19日(2018.7.19)
【手続補正１】
【補正対象書類名】明細書
【補正対象項目名】００１０
【補正方法】変更
【補正の内容】
【００１０】
また、本発明の薄物表示体支持用スタンドは、
可撓性平板により形成される薄物表示体挟持部材と、第一のストロー状部材と、両端が先細り形状に形成される第一の前記開放口閉塞部材と、第二のストロー状部材と、少なくとも一端側が先細り形状に形成される第二の開放口閉塞部材とを備え、
前記薄物表示体挟持部材は、
薄物表示体を挟んで保持するための切込線が設けられた挟持部と、
先細り形状に形成される挿入部とを備え、
前記挿入部を前記第一のストロー状部材の一端の開放口に挿入して前記第一のストロー状部材を変形密着させて結合し、
前記第一の前記開放口閉塞部材の一端側を前記第一のストロー状部材の他端の前記開放口に挿入して前記第一のストロー状部材を変形密着させて結合し、
前記第一の前記開放口閉塞部材の他端側を前記第二のストロー状部材の一端の前記開放口に挿入して前記第二のストロー状部材を変形密着させて結合し、
前記第二の開放口閉塞部材の先細り形状に形成される前記一端側を前記第二のストロー状部材の他端の前記開放口に挿入して前記第二のストロー状部材を変形密着させて結合した。
【手続補正２】
【補正対象書類名】明細書
【補正対象項目名】００１２
【補正方法】変更
【補正の内容】
【００１２】
また、本発明の薄物表示体支持用スタンドは、
可撓性平板により形成される第一の薄物表示体挟持部材と、ストロー状部材と、可撓性平板により形成される第二の薄物表示体挟持部材とを備え、
前記第一の薄物表示体挟持部材および前記第二の薄物表示体挟持部材は、
薄物表示体を挟んで保持するための切込線が設けられた挟持部と、
先細り形状に形成される挿入部とを備え、
前記第一の薄物表示体挟持部材の前記挿入部を前記ストロー状部材の一端の開放口に挿入して前記ストロー状部材を変形密着させて結合し、
前記第二の薄物表示体挟持部材の前記挿入部を前記ストロー状部材の他端の前記開放口に挿入して前記ストロー状部材を変形密着させて結合した。
【手続補正３】
【補正対象書類名】特許請求の範囲
【補正対象項目名】全文
【補正方法】変更
【補正の内容】
【特許請求の範囲】
【請求項１】
可撓性平板により形成される薄物表示体挟持部材と、ストロー状部材と、少なくとも一端側が先細り形状に形成される開放口閉塞部材とを備え、
前記薄物表示体挟持部材は、
薄物表示体を挟んで保持するための切込線が設けられた挟持部と、
先細り形状に形成される挿入部とを備え、
前記挿入部を前記ストロー状部材の一端の開放口に挿入して前記ストロー状部材を変形密着させて結合し、
前記開放口閉塞部材の先細り形状に形成される前記一端側を前記ストロー状部材の他端の前記開放口に挿入して前記ストロー状部材を変形密着させて結合した
薄物表示体支持用スタンド。
【請求項２】
可撓性平板により形成される薄物表示体挟持部材と、第一のストロー状部材と、両端が先細り形状に形成される第一の前記開放口閉塞部材と、第二のストロー状部材と、少なくとも一端側が先細り形状に形成される第二の開放口閉塞部材とを備え、
前記薄物表示体挟持部材は、
薄物表示体を挟んで保持するための切込線が設けられた挟持部と、
先細り形状に形成される挿入部とを備え、
前記挿入部を前記第一のストロー状部材の一端の開放口に挿入して前記第一のストロー状部材を変形密着させて結合し、
前記第一の前記開放口閉塞部材の一端側を前記第一のストロー状部材の他端の前記開放口に挿入して前記第一のストロー状部材を変形密着させて結合し、
前記第一の前記開放口閉塞部材の他端側を前記第二のストロー状部材の一端の前記開放口に挿入して前記第二のストロー状部材を変形密着させて結合し、
前記第二の開放口閉塞部材の先細り形状に形成される前記一端側を前記第二のストロー状部材の他端の前記開放口に挿入して前記第二のストロー状部材を変形密着させて結合した
薄物表示体支持用スタンド。
【請求項３】
前記薄物表示体挟持部材は、所定の箇所で折り曲げられた状態で、前記挟持部により前記薄物表示体を挟んで保持する
請求項１又は２記載の薄物表示体支持用スタンド。
【請求項４】
可撓性平板により形成される第一の薄物表示体挟持部材と、ストロー状部材と、可撓性平板により形成される第二の薄物表示体挟持部材とを備え、
前記第一の薄物表示体挟持部材および前記第二の薄物表示体挟持部材は、
薄物表示体を挟んで保持するための切込線が設けられた挟持部と、
先細り形状に形成される挿入部とを備え、
前記第一の薄物表示体挟持部材の前記挿入部を前記ストロー状部材の一端の開放口に挿入して前記ストロー状部材を変形密着させて結合し、
前記第二の薄物表示体挟持部材の前記挿入部を前記ストロー状部材の他端の前記開放口に挿入して前記ストロー状部材を変形密着させて結合した
薄物表示体支持用スタンド。